【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
留め具を備えた外包材と、前記外包材の内部に設けられた複数のカード収納襞とを備え、前記複数のカード収納襞は襞部材の屈曲部を接合して構成され、カードを収容するための六角形状のカード収納室を規定し、前記外包材の開閉によって前記カード収容室の幅が変化することを特徴とするカードケース。
【請求項２】
前記複数のカード収納襞のうち両外側のカード収納襞は、その側面が前記外包材に接合されていることを特徴とする請求項１に記載のカードケース。
【請求項３】
前記接合が糸の縫着で行われていることを特徴とする請求項１又は２に記載のカードケース。
【請求項４】
前記襞部材には、縫着接合される縫着部の端部に切欠きが設けられていることを特徴とする請求項３に記載のカードケース。
【請求項５】
前記複数のカード収納襞の底部と前記外包材の底部との間に、５〜２０ｍｍの空隙が存在することを特徴とする請求項１〜４のいずれかに記載のカードケース。
【請求項６】
前記複数のカード収納襞のうち外側のカード収納襞と前記外包材との間に、補助収納室が設けられていることを特徴とする請求項１〜５のいずれかに記載のカードケース。
【手続補正２】
【補正対象書類名】明細書
【補正対象項目名】０００９
【補正方法】変更
【補正の内容】
【０００９】
本発明の請求項１に記載のカードケースは、留め具を備えた外包材と、前記外包材の内部に設けられた複数のカード収納襞とを備え、前記複数のカード収納襞は襞部材の屈曲部を接合して構成され、カードを収容するための六角形状のカード収納室を規定し、前記外包材の開閉によって前記カード収容室の幅が変化することを特徴とする。
【手続補正３】
【補正対象書類名】明細書
【補正対象項目名】００１０
【補正方法】変更
【補正の内容】
【００１０】
また、本発明の請求項２に記載のカードケースでは、前記複数のカード収納襞のうち両外側のカード収納襞は、その側面が前記外包材に接合されていることを特徴とする。
【手続補正４】
【補正対象書類名】明細書
【補正対象項目名】００１１
【補正方法】変更
【補正の内容】
【００１１】
本発明の請求項３に記載のカードケースでは、前記接合が糸の縫着で行われていることを特徴とする。
【手続補正５】
【補正対象書類名】明細書
【補正対象項目名】００１２
【補正方法】変更
【補正の内容】
【００１２】
また、本発明の請求項４に記載のカードケースでは、前記襞部材には、縫着接合される縫着部の端部に切欠きが設けられていることを特徴とする。
【手続補正６】
【補正対象書類名】明細書
【補正対象項目名】００１３
【補正方法】変更
【補正の内容】
【００１３】
また、本発明の請求項５に記載のカードケースでは、前記複数のカード収納襞の底部と前記外包材の底部との間に、５〜２０ｍｍの空隙が存在することを特徴とする。
【手続補正７】
【補正対象書類名】明細書
【補正対象項目名】００１４
【補正方法】変更
【補正の内容】
【００１４】
更に、本発明の請求項６に記載のカードケースでは、前記複数のカード収納襞のうち外側のカード収納襞と前記外包材との間に、補助収納室が設けられていることを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
本発明の請求項１に記載のカードケースによれば、カード収納室を規定するカード収納襞が多数配置されているので、多数のカードをコンパクトに収納することができる。また、カード収納室が六角形で、カードの出し入れ時、外包材の開閉等によりその幅が密着状態から広幅状態まで変化するように構成されているので、外包材などを開くと隣接する全てのカード間が大になり、カードが立体的に立ち上がるようになる。従って、カードの出し入れがし易くなるとともに、カードの識別が容易となる。また、外包材を開くと、カード収納室の幅が広幅状態になると同時に長さが小となるので、収納されたカードが挟み込まれるようになる。また、襞部材の屈曲部が接合されてカード収納襞が六角形となっているので、かかる屈曲部がシャープで、長期間使用することが可能となる。
【手続補正１３】
【補正対象書類名】明細書
【補正対象項目名】００２０
【補正方法】変更
【補正の内容】
【００２０】
また、本発明の請求項２に記載のカードケースによれば、両外側のカード収納襞の側面が外包材に接合されているので、カード出し入れ時における外包材の開閉のみで、カード収納室の幅が密着状態から広幅状態まで変化し、カードの出し入れや識別を容易にすることができる。
【手続補正１４】
【補正対象書類名】明細書
【補正対象項目名】００２１
【補正方法】変更
【補正の内容】
【００２１】
また、本発明の請求項４に記載のカードケースによれば、襞部材の屈曲部等の接合が糸の縫着により行われているので、両者の接合を強く行うことができ、その結果、接合部の剥離等が起きず、長期間使用することが可能となる。
【手続補正１５】
【補正対象書類名】明細書
【補正対象項目名】００２２
【補正方法】変更
【補正の内容】
【００２２】
本発明の請求項４に記載のカードケースによれば、襞部材の縫着部の端部に切欠きが設けられているので、切欠きを密着させた襞部材を重ね、糸で縫着してカード収納襞を製造する際、直線状の縫着部、即ちカード収容室の深さ方向に直線状の屈曲部を形成することが可能となる。また、縫着部に針孔が形成されるので、屈曲性が一層良い、シャープな屈曲部を形成することができる。
【手続補正１６】
【補正対象書類名】明細書
【補正対象項目名】００２３
【補正方法】変更
【補正の内容】
【００２３】
また、本発明の請求項５に記載のカードケースによれば、複数のカード収納襞の底部と外包材の底部との間に空隙が存在し、カード収納室はで仕入れ口とその底部が連通して開口したようになっているので、カード収納室の底部に異物等が堆積しない構造となっている。また、異物等は外包材の底部に堆積するようになるので、異物等の課悪人が容易となり、カードを収納した状態でその底部から異物等を簡単に除去することが可能となる。また、カードはその底部近傍の側面がカード収納室の底部の開口部に挟み込まれるように収納され、外包材を開いた時にカード収容室の長さが小となってカードの両方の縁部がカード収容室の屈曲部で挟み込まれるように収納されるので、カードの出し入れ時にカードケースを開いた状態で下方に傾斜してもカードが脱落し難い。尚、外包材の底部とカード収納襞の底部との間の空隙は、筆記用具などの棒状部材を有能する収納空間としても利用することができる。
【手続補正１７】
【補正対象書類名】明細書
【補正対象項目名】００２４
【補正方法】変更
【補正の内容】
【００２４】
更に、本発明の請求項６に記載のカードケースによれば、外側のカード収納襞と外包材との間に補助収納室が設けられているので、補助的なもの収容するための収納室として利用することができる。
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】